(57)【要約】【課題】例えば超高層ビルなどの建物であってもやわらかな外気を感じることを可能にするための除湿装置及びこれを備えた建物を提供する。【解決手段】建物の外周部に設置され、建物の外側から内側に取り入れる外気が通過するとともにこの外気を冷却して除湿する除湿装置１であって、冷媒Ｗが流通して冷却される複数の羽板５を上下方向Ｔ３に所定の間隔をあけて並設してなるルーバー２を備えて構成する。また、ルーバー２は、羽板５が勾配をもたせて配設され、この羽板５の最下端部５ｃにドレイン集水口を設けて形成する。【選択図】図１
2010175141.tif 000002
【特許請求の範囲】
【請求項１】
建物の外周部に設置され、前記建物の外側から内側に取り入れる外気が通過するとともに該外気を冷却して除湿する除湿装置であって、
冷媒が流通して冷却される複数の羽板を上下方向に所定の間隔をあけて並設してなるルーバーを備えて構成されていることを特徴とする除湿装置。
【請求項２】
請求項１記載の除湿装置において、
前記ルーバーは、前記羽板が勾配をもたせて配設され、該羽板の最下端部にドレイン集水口を設けて形成されていることを特徴とする除湿装置。
【請求項３】
請求項１または請求項２に記載の除湿装置において、
前記羽板の表面に親水性の光触媒が塗布されていることを特徴とする除湿装置。
【請求項４】
請求項１から請求項３のいずれかに記載の除湿装置を備えていることを特徴とする建物。
【請求項５】
請求項４記載の建物において、
前記除湿装置を通過して除湿した外気を前記建物の内側に取り入れるための外気取り入れ口が設けられ、
前記外気取り入れ口には、該外気取り入れ口を開閉する遮蔽機構が具備されていることを特徴とする建物。
【請求項６】
請求項４または請求項５に記載の建物において、
前記除湿装置を通過して除湿した外気を前記建物の内側に取り入れるための外気取り入れ口が設けられ、
前記外気取り入れ口には、除湿した外気が通過するとともに該外気から不純物を除去するためのフィルタが設けられていることを特徴とする建物。
【請求項７】
請求項４から請求項６のいずれかに記載の建物において、
前記除湿装置と前記建物の外壁との間に歩廊が設けられていることを特徴とする建物。
【発明の詳細な説明】
【技術分野】
【０００１】
本発明は、例えば超高層ビルなどの建物の外周部に設置され、建物の外側から内側に取り入れる外気が通過するとともにこの外気を冷却して除湿する除湿装置及びこれを備えた建物に関する。
【背景技術】
【０００２】
従来、例えば超高層のオフィスビルなど（建物）では、窓などが開閉できないように固定され、建物内に設置した空調機や外調機で外気を建物の内側に導入するとともに除湿、温度調節などを行って（コンディショニングして）、建物の室内に給気するようにしている（例えば、特許文献１、特許文献２、特許文献３参照）。
【先行技術文献】
【特許文献】
【０００３】
【特許文献１】特開２００７−７１５０８号公報
【特許文献２】特開２００３−２９４２６７号公報
【特許文献３】特開２００３−３３６８６３号公報
【発明の概要】
【発明が解決しようとする課題】
【０００４】
しかしながら、このように空調機や外調機などで空調を行う超高層ビルなどの建物では、室内にいる人が外気を感じることができない（外気を感じることはない）。このため、この種の建物であっても、外気を取り入れ、室内にいる人がやわらかな外気を感じることができるようにする手法が求められていた。
【０００５】
本発明は、上記事情に鑑み、例えば超高層ビルなどの建物であってもやわらかな外気を感じることを可能にするための除湿装置及びこれを備えた建物を提供することを目的とする。
【課題を解決するための手段】
【０００６】
上記の目的を達するために、この発明は以下の手段を提供している。
【０００７】
本発明の除湿装置は、建物の外周部に設置され、前記建物の外側から内側に取り入れる外気が通過するとともに該外気を冷却して除湿する除湿装置であって、冷媒が流通して冷却される複数の羽板を上下方向に所定の間隔をあけて並設してなるルーバーを備えて構成されていることを特徴とする。
【０００８】
この発明においては、冷水などの冷媒が流通してルーバーの羽板が冷却され、上下に隣り合う羽板の間を建物の外側から外気が通過することでこの外気を冷却することができる。このように外気を冷却することによって外気中の水分が除去され、建物の外側から通過するとともに外気を除湿することが可能になる。そして、除湿した外気を建物の内側に取り入れることで、建物の室内にいる人にさわやかな外気を感じさせることが可能になる。
【０００９】
また、本発明の除湿装置において、前記ルーバーは、前記羽板が勾配をもたせて配設され、該羽板の最下端部にドレイン集水口を設けて形成されていることが望ましい。
【００１０】
この発明においては、ルーバーの上下に隣り合う羽板の間を通過するとともに外気を冷却して除湿すると、羽板の表面（外面）に外気から奪われた水分が結露することになるが、羽板が勾配をもたせて配設され、この羽板の最下端部にドレイン集水口が設けられているため、羽板の表面に発生した結露水は羽板の最下端部側に流れてゆき、ドレイン集水口から排出される。これにより、結露水が羽板の表面に水滴として残ることがなく、羽板ひいてはルーバーに汚れが生じることを抑制（防止）できる。
【００１１】
さらに、本発明の除湿装置においては、前記羽板の表面に親水性の光触媒が塗布されていることがより望ましい。
【００１２】
この発明においては、羽板の表面に親水性の光触媒を塗布しておくことで、外気を除湿することにより生じた結露水を薄膜状で流下させて羽板の表面から除去することが可能になる。これにより、羽板の表面に生じた結露水が水滴として残りにくくなり、また、光触媒の物理特性によって、ルーバーに汚れが生じることを確実に抑制（防止）できる。
【００１３】
本発明の建物は、上記のいずれかに記載の除湿装置を備えていることを特徴とする。
【００１４】
この発明においては、上記の除湿装置で除湿した外気を建物の内側に取り入れることにより、建物の室内にいる人にさわやかな外気を感じさせることが可能になる。
【００１５】
また、本発明の建物においては、前記除湿装置を通過して除湿した外気を前記建物の内側に取り入れるための外気取り入れ口が設けられ、前記外気取り入れ口には、該外気取り入れ口を開閉する遮蔽機構が具備されていることが望ましい。
【００１６】
この発明においては、除湿装置で除湿した後の外気を取り入れる外気取り入れ口に具備した遮蔽機構を操作し、季節、天候、時間などに応じて任意に外気取り入れ口を開閉できる。これにより、確実且つ任意にさわやかな外気を取り入れることが可能になる。
【００１７】
さらに、本発明の建物においては、前記除湿装置を通過して除湿した外気を前記建物の内側に取り入れるための外気取り入れ口が設けられ、前記外気取り入れ口には、除湿した外気が通過するとともに該外気から不純物を除去するためのフィルタが設けられていることが望ましい。
【００１８】
この発明においては、害虫、花粉、煤塵、その他の不純物を外気からフィルタで除去することができ、不純物を除去した外気を建物の内側に取り入れることが可能になる。
【００１９】
また、本発明の建物においては、前記除湿装置と前記建物の外壁との間に歩廊が設けられていることがより望ましい。
【００２０】
この発明においては、除湿装置と建物の外壁との間に設けた歩廊を使用して、除湿装置の点検、メンテナンスなどを行うことが可能になる。また、この歩廊を憩いの場などとして利用することも可能になる。
【発明の効果】
【００２１】
本発明の除湿装置及び建物によれば、冷水などの冷媒が流通してルーバーの羽板が冷却され、上下に隣り合う羽板の間を建物の外側から外気が通過することでこの外気を冷却することができる。このように外気を冷却することによって外気中の水分が除去され、建物の外側から通過するとともに外気を除湿することが可能になる。そして、除湿した外気を建物の内側に取り入れることで、建物の室内にいる人にさわやかな外気を感じさせることが可能になる。これにより、例えば夏期などの高温多湿時期に酷暑感を低減させることが可能になる。
【００２２】
また、除湿装置を建物の外周部に設置して除湿した外気を建物の内側（室内）に取り入れるようにすることで、空調機や外調機などに対する空調負荷を低減させることが可能になる。さらに、複数の羽板を上下に適度な間隔をあけて配設することによって、やわらかな間接昼光を室内に取り入れることも可能になり、この光をアンビエント照明の代替光として利用するなどして照明電力を削減することが可能になる。このため、本発明に係る除湿装置を建物の外周部に設置することで、空調負荷、照明電力などの多くのエネルギーを削減することも可能になる。
【図面の簡単な説明】
【００２３】
【図１】本発明の一実施形態に係る除湿装置を示す正面図である。
【図２】本発明の一実施形態に係る除湿装置のルーバー（複数の羽板）を示す断面図（図１のＸ１−Ｘ１線矢視図）である。
【図３】本発明の一実施形態に係る除湿装置を建物に設置した状態を示す図である。
【発明を実施するための形態】
【００２４】
以下、図１から図３を参照し、本発明の一実施形態に係る除湿装置及びこれを備えた建物について説明する。本実施形態は、例えば超高層ビルなどの建物の外周部に設置され、建物の外側から外気を除湿して内側に取り入れるための除湿装置及びこれを備えた建物に関するものである。
【００２５】
本実施形態の除湿装置１は、図１に示すように、ルーバー２と、冷媒供給装置３とを備えて構成されている。
【００２６】
ルーバー２は、矩形状の枠４と、複数の羽板５とを備えて構成され、枠４及び羽板５は、例えば伝熱性の高い金属などを用いて形成されている。また、本実施形態の羽板５は、略矩形板状に形成されており、長手方向（幅方向Ｔ１）の両側端部５ａ、５ｂを枠４の縦部４ａに繋げて横方向に延設されている。また、羽板５は、幅方向Ｔ１中央の最下端部５ｃを挟んで両側端部５ａ、５ｂ側がそれぞれ所定の勾配をもって傾斜して形成されている。すなわち、羽板５は、最下端部５ｃから一側端部５ａと他側端部５ｂのそれぞれの側に向かうに従い漸次上方に傾斜して形成されている。
【００２７】
また、羽板５は、図２に示すように、断面視で、短手方向（奥行き方向Ｔ２）の中央の最下端部５ｄを挟んで前後の両端部５ｅ、５ｆ側がそれぞれ所定の勾配をもって傾斜して形成されている。すなわち、羽板５は、最下端部５ｄから前端部５ｅと後端部５ｆのそれぞれの側に向かうに従い漸次上方に傾斜して形成されている。また、この羽板５は、奥行き方向Ｔ２中央の最下端部５ｄから前後の両端部５ｅ、５ｆに向かうに従い漸次その厚さが小となるように形成されている。
【００２８】
さらに、本実施形態の羽板５は、その表面（上面及び下面の外面５ｇ）に例えば酸化チタンなどの超親水性機能を有する光触媒（親水性の光触媒）を塗布して形成されている。また、羽板５は、例えば伝熱性の高い金属製の第１冷媒流通管６が一体形成されており、この第１冷媒流通管６は、羽板５の奥行き方向Ｔ２中央５ｄに配設され、幅方向Ｔ１中央５ｃ側から一側端部５ａと他側端部５ｂに向けて延設されている。さらに、羽板５には、幅方向Ｔ１中央の最下端部５ｃに、上面から下面に貫通するドレイン集水口が設けられている。なお、第１冷媒流通管６は、ドレイン集水口で開口し、このドレイン集水口を挟んで幅方向Ｔ１両側にそれぞれ配設されている。また、図１に示すように、このドレイン集水口に連通するドレイン受７及びドレイン受７に繋がる冷媒排出管８が羽板５の最下端部５ｃの下面側に一体に設けられている。
【００２９】
そして、このように形成した複数の羽板５は、枠４（ルーバー２）の上端部側から下端部側まで、上下方向Ｔ３に所定の間隔をあけて並設され、各羽板５は、所定の勾配をもたせて配設されている。
【００３０】
また、各羽板５の第１冷媒流通管６は、羽板５の両側端部５ａ、５ｂ側にそれぞれ配設され、上下方向Ｔ３に延設された第２冷媒流通管９に繋げられている。また、羽板５の両側端部５ａ、５ｂ側にそれぞれ配設した一対の第２冷媒流通管９は、枠４の下端部側で下端側同士が繋げられている。
【００３１】
一方、冷媒供給装置３は、例えば冷水などの冷媒（本実施形態では冷水）Ｗを一時的に貯留する縦型蓄熱槽１０と、冷媒供給管１１と、給送ポンプ１２とを備えて構成されている。縦型蓄熱槽１０は、その上端部側に最下方の羽板５に設けられた冷媒排出管８が繋げられている。冷媒供給管１１は、一端を縦型蓄熱槽１０の下端部側に、他端を第２冷媒流通管９に繋げて設けられている。給送ポンプ１２は、冷媒供給管１１の一端と他端の間に介設されている。
【００３２】
そして、上記のように構成した除湿装置１は、図３に示すように、建物１５の外周部に、この建物１５の外壁１６にルーバー２が沿うようにして設置される。また、ルーバー２は、羽板５が所定の勾配で斜設されるように配設される。
【００３３】
また、このように設置した除湿装置１を備えた本実施形態の建物１５には、各階の床面Ｆと略同一水平面上に上面１７ａが配されるようにして、除湿装置１５と外壁１６との間に歩廊１７が設けられている。このような歩廊１７は、例えばグレーチングなどを用いて形成される。
【００３４】
さらに、本実施形態の建物１５は、各階の外壁１６部分にガラス窓１８が設けられており、また、各階の外壁１６部分には、ガラス窓１６よりも上部（上部壁１６ａ）と、ガラス窓よりも下部（下部壁（腰壁）１６ｂ）とにそれぞれ、外気取り入れ口１９が設けられている。また、外気取り入れ口１９には、この外気取り入れ口１９を開閉する遮蔽機構２０が具備されている。この遮蔽機構２０は、例えばファイヤーダンパ、ボリュームダンパ、シャッタなどである。さらに、外気取り入れ口１９には、フィルタ２１が設けられており、このフィルタ２１には、サランネット程度から高性能フィルタまで、適宜目的に応じたフィルタ性能を有するフィルタが選択的に用いられている。
【００３５】
ついで、上記構成からなる本実施形態の除湿装置１及びこれを備えた建物１５の作用及び効果について説明する。
【００３６】
本実施形態では、はじめに、冷媒供給装置３の給送ポンプ１２を駆動し、縦型蓄熱槽１０に貯留した冷水（冷媒Ｗ）を冷媒供給管１１から第２冷媒流通管９、さらに第２冷媒流通管９から各羽板５の第１冷媒流通管６に供給して流通させる。このように冷水Ｗを第１冷媒流通管６に流通させることによって、各羽板５を冷却させる。
【００３７】
そして、このように各羽板５ひいてはルーバー２を冷却した場合には、外気２２がルーバー２の上下に隣り合う羽板５の間を外側から建物１５の外壁１６に向けて通過するとともに、各羽板５が熱交換器のように機能して外気２２が冷却され、外気２２中の水分が羽板５の表面５ｇに結露して除去される。このため、超高層ビルなどの建物１５であっても、室内にいる人Ｍが遮蔽機構２０を駆動して外気取り入れ口１９を開くと、ルーバー２を通過して除湿された外気２２’が外気取り入れ口１９から室内に取り込まれる。これにより、室内にいる人Ｍは、ルーバー２（除湿装置１）で除湿され、順次室内に取り入れられてくるやわらかな外気２２’を感じることになる。そして、例えば夏期などの高温多湿時期であっても、ルーバー２で除湿したやわらかな外気２２’が室内に取り込まれるため、快適な空気環境が形成され、室内にいる人Ｍの酷暑感が低減する。
【００３８】
また、このとき、各階の外壁１６部分の上部と下部とにそれぞれ、遮蔽機構２０を備えた外気取り入れ口１９が設けられているため、冬期、夏期、中間期の季節や天候、時間などに応じて（条件に応じて）上部と下部の外気取り入れ口１９を選択的に開閉し、選択的に開いた外気取り入れ口１９からやわらかな外気２２’を室内に取り入れることができる。
【００３９】
さらに、本実施形態では、外気取り入れ口１９にフィルタ２１が設けられているため、除湿した外気２２’がフィルタ２１を通過するとともに例えば害虫、花粉、煤塵やその他の不純物が外気２２’から除去され、これら不純物を除去した外気２２’が室内に取り入れられることになる。
【００４０】
また、建物１５の外周部に設置したルーバー２は、建物１５の空調負荷、照明電力などのエネルギー削減にも寄与する。すなわち、ルーバー２によって除湿した外気２２’を室内に取り入れることで、特に夏期などの高温多湿時期に空調機や外調機などに対する空調負荷が低減する。また、建物１５の外周部にルーバー２が設置され、このルーバー２で建物１５の外壁１６が覆われるため、建物１５の直達日射による空調熱負荷も大幅に低減する。さらに、ルーバー２と建物１５の外壁１６との間の温度が低くなるため、対流熱伝達による空調負荷も低減する。
【００４１】
また、上下に隣り合う羽板５を適度な間隔をあけて並設してルーバー２が形成されているため、照射した太陽光が羽板５で反射し、建物１５の外壁１６に設けたガラス窓１８などを通じて室内にやわらかな間接昼光Ｓが導入される。このため、この間接昼光Ｓをアンビエント照明の代替光として利用することにより、照明電力の削減が図れる。
【００４２】
ここで、上記のようにルーバー２の羽板５の間を通過するとともに外気２２を冷却して除湿すると、羽板５の表面５ｇに外気２２から奪われた水分が結露する。そして、この結露水Ｗ’が水滴の状態で羽板５の表面５ｇに残ると、羽板５ひいてはルーバー２が汚れ、建物１５の外観を損なうおそれがある。また、降雨時に雨水Ｗ’’が水滴の状態で羽板５の表面５ｇに残った場合にも、やはり羽板５ひいてはルーバー２が汚れてしまう。
【００４３】
これに対し、本実施形態では、羽板５が勾配をもたせて配設されているため、羽板５の表面５ｄに生じた結露水Ｗ’は、羽板５の幅方向Ｔ１中央の最下端部５ｃに向けて流れてゆき、この最下端部５ｃに設けられたドレイン集水口からドレイン受７に集水される。また、降雨時にも、結露水Ｗ’と同様に、羽板５の表面５ｇの雨水Ｗ’’が最下端部５ｃに向けて流れてゆき、ドレイン集水口からドレイン受７に集水される。さらに、本実施形態においては、羽板５の表面５ｇに超親水性機能を有する光触媒が塗布されているため、結露水Ｗ’や雨水Ｗ’’は、薄膜状を呈した状態で最下端部５ｃ側に流下してより確実に集水されることになる。これにより、羽板５の表面５ｇに発生した結露水Ｗ’や雨水Ｗ’’が水滴として残りにくくなり、且つ光触媒の物理特性によって、ルーバー２に汚れが生じることが防止される。このため、建物１５の外観が好適な状態で維持するための清掃などのメンテナンスが不要になり、あるいはメンテナンス頻度が少なくて済む。
【００４４】
さらに、本実施形態では、除湿装置１（ルーバー２）と建物１５の外壁１６との間に歩廊１７が設けられているため、除湿装置１の例えば点検やメンテナンスなどが必要になった場合であっても、作業者が歩廊１７を使用することで容易に点検やメンテナンスなどが行える。また、このような歩廊１７は、除湿装置によってさわやかな外気２２’が流通するため、憩いの場などとしても好適に利用できる。
【００４５】
一方、第１冷媒流通管６を流通して各羽板５を冷却させた後の冷水Ｗは、ドレイン集水口からドレイン受７に排出される。そして、各羽板５に設けたドレイン受７には、冷媒排出管８が繋げられているため、冷水Ｗは、ドレイン受７及び冷媒排出管８を通じて縦型蓄熱槽１０内に返送される。また、ドレイン受７に集水された結露水Ｗ’や雨水Ｗ’’も冷水Ｗと同様に、ドレイン受７及び冷媒排出管８を通じて縦型蓄熱槽１０内に取り込まれる。そして、羽板５を介して外気２２と熱交換を行い、温度が上がった冷水Ｗ（結露水Ｗ’、雨水Ｗ’’も含む冷媒）が縦型蓄熱槽１０に導入された場合であっても、縦型蓄熱槽１０に貯留された冷媒Ｗが温度成層を形成し、上方に温度の高い冷媒Ｗが、下方に温度の低い冷媒Ｗが溜まる。このため、給送ポンプ１２を駆動するとともに、縦型蓄熱槽１０の下方の冷媒（冷水）Ｗをルーバー２に供給することで、効率的且つ確実に羽板５（ルーバー２）が冷却され、さわやかな外気２２’が持続的に建物１５の室内に取り込まれることになる。
【００４６】
したがって、本実施形態の除湿装置１及びこれを備えた建物１５においては、冷水Ｗ（冷媒）が流通してルーバー２の羽板５が冷却され、建物１５の外側から上下に隣り合う羽板５の間を外気２２が通過することでこの外気２２を冷却することができる。このように外気２２を冷却することによって外気中の水分が除去され、建物１５の外側から通過するとともに外気２２を除湿することが可能になる。そして、除湿した外気２２’を建物１５の内側に取り入れることで、建物１５の室内にいる人Ｍにさわやかな外気を感じさせることが可能になる。これにより、例えば夏期などの高温多湿時期に酷暑感を低減させることが可能になる。
【００４７】
また、除湿装置１を建物１５の外周部に設置して除湿した外気２２’を建物１５の内側（室内）に取り入れるようにすることで、空調機や外調機などに対する空調負荷を低減させることが可能になる。さらに、複数の羽板５を上下に適度な間隔をあけて配設することによって、やわらかな間接昼光Ｓを室内に取り入れることも可能になり、この間接昼光Ｓをアンビエント照明の代替光として利用するなどして照明電力を削減することが可能になる。このため、除湿装置１を建物１５の外周部に設置することで、空調負荷、照明電力などの多くのエネルギーを削減することも可能になる。
【００４８】
また、羽板５が勾配をもたせて配設され、この羽板５の最下端部５ｃにドレイン集水口が設けられているため、羽板５の表面５ｇに発生した結露水Ｗ’や、羽板５の表面５ｇに付着した雨水Ｗ’’は、羽板５の最下端部５ｃ側に流れてゆき、ドレイン集水口から排出される。これにより、結露水Ｗ’や雨水Ｗ’’が羽板５の表面５ｇに水滴として残ることがなく、羽板５ひいてはルーバー２に汚れが生じることを抑制（防止）できる。
【００４９】
さらに、羽板５の表面５ｇに親水性の光触媒を塗布しておくことで、外気２２を除湿することにより生じた結露水Ｗ’や雨水Ｗ’‘を薄膜状で流下させて羽板５の表面５ｇから除去することが可能になる。これにより、羽板５の表面５ｇに生じた結露水Ｗ’や雨水Ｗ’‘が水滴として残りにくくなり、また、光触媒の物理特性によって、ルーバー２に汚れが生じることを確実に抑制（防止）できる。
【００５０】
また、除湿装置１を通過して除湿した外気２２’を建物１５の内側に取り入れるための外気取り入れ口１９が設けられ、この外気取り入れ口１９に遮蔽機構２０が具備されているため、この遮蔽機構２０を操作し、季節、天候、時間などに応じて任意に外気取り入れ口１９を開閉できる。これにより、確実且つ任意にさわやかな外気２２’を取り入れることが可能になる。
【００５１】
さらに、外気取り入れ口１９にフィルタ２１が設けられていることにより、害虫、花粉、煤塵、その他の不純物を外気２２’からフィルタ２１で除去することができ、不純物を除去した外気２２’を建物１５の内側に取り入れることが可能になる。
【００５２】
また、除湿装置１と建物１５の外壁１６との間に設けた歩廊１７を使用して、除湿装置１の点検、メンテナンスなどを行うことが可能になる。また、この歩廊１５を憩いの場などとして利用することも可能になる。
【００５３】
そして、このように、本実施形態に係る除湿装置１は、環境を配慮した機能性ファサードとして使用できるため、例えば、ＳＣ（ソーラーサーキット）の建物１５に適用すると、特に上記効果を確実且つ十分に発揮するものとなる。
【００５４】
以上、本発明に係る除湿装置及びこれを備えた建物の一実施形態について説明したが、本発明は上記の一実施形態に限定されるものではなく、その趣旨を逸脱しない範囲で適宜変更可能である。例えば、本実施形態では、冷媒が冷水Ｗであるものとし、冷媒供給装置３が縦型蓄熱槽１０と冷媒供給管１１と給送ポンプ１２とを備えて構成されているものとしたが、冷媒Ｗは必ずしも冷水（水）を用いる必要はなく、また、冷媒供給装置３、すなわち冷熱源は、除湿装置１のルーバー２を冷却することができれば、特に限定を必要とするものではない。例えば、ドレインその他の水を利用した水冷ヒートポンプや空冷ヒートポンプで冷媒Ｗをそのままルーバー２（除湿装置１）に供給するなどしてもよい。
【符号の説明】
【００５５】
１      除湿装置
２      ルーバー
３      冷媒供給装置
４      枠
５      羽板
５ａ    一側端部
５ｂ    他側端部
５ｃ    最下端部
５ｄ    最下端部
５ｅ    前端部
５ｆ    後端部
５ｇ    表面（外面）
６      第１冷媒流通管
７      ドレイン受
８      冷媒排出管
９      第２冷媒流通管
１０    縦型蓄熱槽
１１    冷媒供給管
１２    給送ポンプ
１５    建物
１６    外壁
１６ａ  上部壁
１６ｂ  下部壁
１７    歩廊
１７ａ  上面
１８    ガラス窓
１９    外気取り入れ口
２０    遮蔽機構
２１    フィルタ
２２    外気
２２’  除湿した外気
Ｆ      床面
Ｍ      人
Ｓ      間接昼光
Ｔ１    幅方向（長手方向）
Ｔ２    奥行き方向（短手方向）
Ｔ３    上下方向
Ｗ      冷水（冷媒）
Ｗ’    結露水
Ｗ’’  雨水
【図１】
2010175141.tif 000003
【図２】
2010175141.tif 000004
【図３】
2010175141.tif 000005